(57)【特許請求の範囲】
【請求項１】
植栽物を保持する植栽マットを、屋根部上に敷設して植栽部を構成し、前記植栽マットを貫通する状態で前記屋根部に固定する固定具によって、前記植栽マットを前記屋根部に固定してある植栽屋根構造であって、
前記植栽マットの端縁部への風当たりを抑制自在な防風カバーを、前記植栽部の端縁部に配置すると共に、前記屋根部に固定してある植栽屋根構造。
【請求項２】
前記防風カバーには、防風カバー前面側からの風の流線を、前記植栽マットに向かない方向へ誘導するガイド部を設けてある請求項１に記載の植栽屋根構造。
【請求項３】
前記植栽マットと前記屋根部との間に、通水層を形成してある請求項１又は２に記載の植栽屋根構造。
【請求項４】
前記通水層は、通水マットで構成してあり、前記防風カバーの前記屋根部への固定部で、前記通水マットも前記屋根部に固定してある請求項３に記載の植栽屋根構造。
【請求項５】
前記防風カバーと前記屋根部との間に、前記通水層と前記防風カバー前面側とを連通させる隙間を設けてある請求項３又は４の何れかに記載の植栽屋根構造。
【請求項６】
前記防風カバーに、前記通水マットの縁部に沿って前記通水マットを支持自在な長尺のマット支持部を設けてある請求項４〜５の何れかに記載の植栽屋根構造。
【発明の詳細な説明】
【０００１】
【発明の属する技術分野】
本発明は、植栽物（例えば、芝、草木、セダム植物等）を保持する植栽マットを、屋根部（例えば、屋根面、屋上、バルコニー、ベランダ等）上に敷設して植栽部を構成し、前記植栽マットを貫通する状態で前記屋根部に固定する固定具によって、前記植栽マットを前記屋根部に固定してある植栽屋根構造に関する。
【０００２】
【従来の技術】
屋根部上に形成される植栽部としては、土を積層させて形成するものや、マット状に形成した植栽マットを敷設するもの等、様々な形態のものがあるが、屋根の上に設けられる関係上、建物本体への負担を減らす意味では、植栽部の重量を軽く設定し易い後者の植栽マットを敷設する方法がよく用いられている。
しかしながら、屋根上においては、時として突風が吹くこともあり、植栽部の重量を小さくすればするほど吹き飛ばされ易くなり、これを防止するために、植栽部を屋根部に固定する固定具を屋根部上に設けてあることが多い。
因みに、上述の植栽マットとは、例えば、合成樹脂の繊維を編んでマット状に成形した母材マットに、土を擦り込んで植栽物の苗や種を植え付けたもので、工場生産によって形成することができる（現場に敷設してから植え付けて形成することも可能である）と共に、現場での敷設も簡単に迅速にできるので、屋上緑化の施工効率向上に一役かっている。
【０００３】
従来、この種の植栽屋根構造としては、図１２に示すように、前記固定具３０として、屋根部Ｂ２上に突出する状態にアンカーボルト２０を予め設けておき、そのアンカーボルト２０が植栽マットＳ２を貫通する状態に植栽マットＳ２を敷設し、前記アンカーボルト２０の先端に、外れ止めの鍔部材２１を螺合させて植栽マットＳ２を押さえる状態で固定してあったり（図１２（イ）参照）、前記固定具３０として前記アンカーボルト２０に替えて、図１２（ロ）に示すようなボルト付きベース部材２２を使用し、前記ベース部材２２を予め屋根部Ｂ２上に固定しておき、後は、上述と同様に鍔部材２１によって植栽マットＳ２を押さえる状態に固定するものがあった。
そして、植栽部Ｓの縁部に位置する植栽マットＳ２は、端縁部に直接的に風を受け易く、それに伴って捲れ上がる危険性が高いから、上述の固定具３０を植栽マットＳ２の縁部に必ず設置して固定してあった。
【０００４】
【発明が解決しようとする課題】
前記固定具は、植栽マットを固定するためには必須であるものの、植栽部として本来必要とされる美観性の向上と言う観点に立てば、逆に、目障りになり易い。しかも、固定具の前記鍔部材によって押さえられた植栽マット部分は、植栽物の生育も他の部分に比べて劣りやすく、尚更、美観性を損なう可能性が高い。
上述した従来の植栽屋根構造によれば、特に、目に付き易い植栽部の縁部に、前記固定具が必要不可欠であるから、植栽部の美観性を損ない易いという問題点がある。
【０００５】
従って、本発明の目的は、上記問題点を解消し、植栽マットの安定した敷設状態を維持できながら、植栽部としての美観性を損ないにくい植栽屋根構造を提供するところにある。
【０００６】
【課題を解決するための手段】
請求項１の発明の特徴構成は、図１・２・４、図８〜１１に例示するごとく、植栽物１を保持する植栽マットＳ２を、屋根部Ｂ２上に敷設して植栽部Ｓを構成し、前記植栽マットＳ２を貫通する状態で前記屋根部Ｂ２に固定する固定具３によって、前記植栽マットＳ２を前記屋根部Ｂ２に固定してある植栽屋根構造において、前記植栽マットＳ２の端縁部への風当たりを抑制自在な防風カバー８を、前記植栽部Ｓの端縁部に配置すると共に、前記屋根部Ｂ２に固定してあるところにある。
【０００７】
請求項１の発明の特徴構成によれば、防風カバーによって植栽部の縁部に位置する植栽マットへの風当たりが抑制されるから、突風が吹いたとしても、植栽マットが吹き飛ばされ難くすることができる。従って、従来のように、端部の植栽マットの目に付きやすい位置に固定具を配置してたものを、固定具を使用しなくても（又は、その数を減らしても）、安定した植栽マットの敷設状態を維持することが可能となる。
その結果、植栽部の内で特に目に付きやすい縁部において、前記固定具を無くす（減らす）ことができるようになって、鍔部材の存在による美観性の低下や、固定具で押さえられることによるその周囲の植栽物の発育不足による美観性の低下を防止することが可能となり、植栽部のもつ本来の美観性を無駄なく発揮させることが可能となる。
また、防風カバーそのものは、屋根部に固定してあるから、安定した状態で植栽マットに対する風当たり抑制作用を発揮することができるものである。
【０００８】
請求項２の発明の特徴構成は、図１・２・４・１０・１１に例示するごとく、前記防風カバー８には、防風カバー８前面側からの風の流線を、前記植栽マットＳ２に向かない方向へ誘導するガイド部８Ｃを設けてあるところにある。
【０００９】
請求項２の発明の特徴構成によれば、請求項１の発明による作用効果を叶えることができるのに加えて、前記ガイド部によって風の流線を植栽マットに向かないように誘導することが可能となり、植栽マットの植栽物への風当たりを少なくし、生育しやすい状況を維持することが可能となる。特に、風が植栽マットに直接に当たれば、植栽マットに含まれている水分の気化が促進される危険性があり、植栽物への水分不足を招くことにもなりかねないが、当該発明によれば、植栽マットの植栽物への風当たりを抑制することでき、水分の気化を抑制して植栽マットの水分の保持作用を向上させることが可能となる。その結果、渇水による枯れ防止をも図ることが可能となる。
また、植栽マットへの直接的な風による吹き上げを防止することも可能となる。
【００１０】
請求項３の発明の特徴構成は、図１・２・４・１１に例示するごとく、前記植栽マットＳ２と前記屋根部Ｂ２との間に、通水層Ｈを形成してあるところにある。
【００１１】
請求項３の発明の特徴構成によれば、請求項１又は２の発明による作用効果を叶えることができるのに加えて、植栽マット中から余分な水を通水層に流下させて除去することが可能となり、水分過多による根腐りを防止することが可能となる。
更には、通水層が通水状態でないときには、適度な量の空気を通水層に保持することも可能であるから、植栽マットに対する通気性を向上させることも可能となる。
【００１２】
請求項４の発明の特徴構成は、図１・２・４・１１に例示するごとく、前記通水層Ｈは、通水マットＳ１で構成してあり、前記防風カバー８の前記屋根部Ｂ２への固定部９で、前記通水マットＳ１も前記屋根部Ｂ２に固定してあるところにある。
【００１３】
請求項４の発明の特徴構成によれば、請求項１〜３の何れかの発明による作用効果を叶えることができるのに加えて、通水マットを敷設するだけの簡単な手間で通水層を形成することが可能となり、植栽部形成作業の効率を向上することができる。
しかも、その通水マットの屋根部への固定は、前記防風カバーの固定部で兼用できるので、より手間を掛けずに植栽部形成作業を実施することが可能となると共に、固定部品の兼用化によるコストダウンをも叶えることが可能となる。
【００１４】
請求項５の発明の特徴構成は、図１・２・４・１１に例示するごとく、前記防風カバー８と前記屋根部Ｂ２との間に、前記通水層Ｈと前記防風カバー８前面側とを連通させる隙間１１を設けてあるところにある。
【００１５】
請求項５の発明の特徴構成によれば、請求項１〜４の何れかの発明による作用効果を叶えることができるのに加えて、前記隙間を通じて、前記通水層から排除される水分を、防風カバー全面側へ抜くことが可能となり、前記通水層の通水作用をより向上させることが可能となる。
更には、通水層が通水状態にない場合には、防風カバー全面側から、前記隙間・通水層を通して植栽マットに新鮮な空気を接触させることが可能となる。
その結果、前述の根腐り防止や、通気性の向上を促進することが可能となる。
【００１６】
請求項６の発明の特徴構成は、図１・２・４・９・１１に例示するごとく、前記防風カバー８に、前記通水マットＳ１の縁部に沿って前記通水マットＳ１を支持自在な長尺のマット支持部８Ａを設けてあるところにある。
【００１７】
請求項６の発明の特徴構成によれば、請求項１〜５の何れかの発明による作用効果を叶えることができるのに加えて、マット支持部を通水マットの縁部に沿った長尺に形成してあるから、点在する状態のマット支持に比べて、支持力を長い範囲に分散でき、通水マットを無理なく支持することが可能となる。
また、マット支持部による通水マットの支持形態としては、種々のものを採用することができるが、例えば、マット支持部と屋根部との間に通水マットを挟む状態に固定する構造を採用すれば、通水マットに対して挟持力を作用させて、より確実に通水マットの固定を果たすことが出来る。また、マット支持部上に通水マットを載置する状態で固定する構造を採用すれば、通水マットの被支持部と屋根部との間に長手方向にわたって隙間を形成することが可能となり、この隙間を、請求項５に記載の隙間に望ませることによって、請求項５の発明の特徴構成による作用を、より好ましい状態で叶えることが可能となる。
【００１８】
尚、上述のように、図面との対照を便利にするために符号を記したが、該記入により本発明は添付図面の構成に限定されるものではない。
【００１９】
【発明の実施の形態】
以下に本発明の実施の形態を図面に基づいて説明する。尚、図面において従来例と同一の符号で表示した部分は、同一又は相当の部分を示している。
【００２０】
図１は、当該発明の植栽屋根構造の一つの実施形態を備えた建物Ｂを示すものである。
本実施形態の建物Ｂは、建物本体部Ｂ１と、その上に形成した屋根部Ｂ２とを一体的に構成した鉄筋コンクリート造の建物である。
【００２１】
前記屋根部Ｂ２は、図１・２に示すように、陸屋根に構成してあり、この屋上Ｒには、植栽部Ｓ、及び、植栽部Ｓに隣接させて通路部Ｔを設けてあり、屋上緑化を図ってある。
【００２２】
そして、前記屋根部Ｂ２上面には、図１・２・４に示すように、塩化ビニル製の防水シート４を接着固定してあり、更にその上には、前記植栽部Ｓ内の排水層（通水層に相当）Ｈとなる排水マット（通水マットに相当）Ｓ１と、植栽部Ｓの植付層となる植栽マットＳ２とを積層させてある。
また、前記防水シート４の上面には、前記排水マットＳ１と植栽マットＳ２とを固定する複数の固定具３が、所定間隔をあけて接着固定してあり、この固定具３によって、前記排水マットＳ１や植栽マットＳ２は屋根に固定されており、その結果、横ズレや風の揚力によって吹き飛ばされるのを防止できるものである。
因みに、前記防水シート４も、前記固定具３も、ともに塩化ビニルによって構成されたもので、両者の接着は、例えば、溶剤を用いて溶着したり、熱融着によって一体化を図ってあり、同質材料によって構成してあるから、溶け合うことで組織が一体となり易く強力な接着力が得られる。
【００２３】
前記防水シート４は、先に述べたとおり、塩化ビニルを素材として形成してあり、隣接するシートどうしは、重ね代部分を溶着によって接着してあるから、防水面としては、信頼性の高い連続面が得られる。そして、塩化ビニルそのものの強度、及び、隣接する防水シート４どうしの接着強度、及び、防水シート４全体とした一体性より、植栽部Ｓでの根の発育による防水シート４貫通を確実に防止することが可能となる。
また、防水シート４そのものは、屋根部Ｂ２に接着材によって固定してある。
【００２４】
前記排水マットＳ１は、合成樹脂製の繊維を絡ませてマット状に成形したもので、各繊維間の隙間を通して、植栽部Ｓの余剰水を排水できるように構成してある。
一方、前記植栽マットＳ２は、図４に示すように、合成樹脂製の繊維を絡ませてマット状に成形した本体Ｓ２ａと、その本体Ｓ２ａの下面部分に一体に形成した合成樹脂製のフィルタＳ２ｂと、前記本体Ｓ２ａの空間に詰めた客土Ｓ２ｃとを備えて構成してある。そして、客土Ｓ２ｃには、例えば、乾燥状態や貧栄養状態でも生育するセダム類等の植物（植栽物の一例）１を植生してある。
因みに、前記客土Ｓ２ｃは、火山砂利やセラミックス系のもの等を使用すれば、乾燥・貧栄養条件を維持しやすく、雑草の侵入を抑制した状態で前記セダム類の生育環境を最適化することが可能となる。
また、屋根部Ｂ２への固定は、上述の通り、排水マットＳ１の上に植栽マットＳ２が重なる状態で、前記固定具３によって実施してあるが、植栽部Ｓの外周側に関しては、固定具３は、排水マットＳ１のみを固定してあり、植栽マットＳ２の端は固定せずに重なる状態に設置されている。これは、通路部に近い部分に、固定具３が見えにくくするために実施してある。即ち、植栽部Ｓの外周側は通路部から見通しやすく、そんな環境下に固定具３があれば目立ち易く、植栽部としての美観性を損ねかねない訳であるが、少なくとも、植栽部Ｓ外周部において植栽マットＳ２に固定具３を取り付けてないことで、固定具３が目について美観上の障害となるのを防止している。但し、この部分は、後述の防風カバー８を設けることで、風が当たりにくくなり、固定されてないにも係わらず、安定した取付状態を維持することができる。
【００２５】
前記固定具３は、塩化ビニルによって形成してあり、図３・５・６に示すように、ベース部分３ａと本体部分３ｂとを備えて構成してある。
前記ベース部分３ａは、円板で構成してあり、前記本体部分３ｂは、前記円板の中央部分に一体的に且つ立設状態に設けられた樹脂ボルトによって構成してある。
そして、固定具３は、円板形状のベース部分３ａを、防水シート４上に面接着することによって、本体部分３ｂが、屋根面上に突出する状態に設置されている。また、前記本体部分３ｂには、外周部の雄ネジ部に係止自在な係止リング部材３ｃやナット１０を着脱自在に設けてあり、この係止リング部材３ｃやナット１０によって前記排水マットＳ１・植栽マットＳ２を抑える状態に固定したり、後述の防風カバー８を屋根部Ｂ２に固定することができる。
また、係止リング部材３ｃについて説明すると、前記ベース部分３ａ・本体部分３ｂと同様に、合成樹脂によって構成してあり、図６に示すように、リング本体７の内周部に薄肉の複数の係止片７ａを一体的に設けて構成してある。
前記各係止片７ａは、リング軸芯に対して一方側へ傾斜する姿勢に形成してあり、前記樹脂ボルトからなる前記本体部分３ｂの一端側から当該係止リング部材３ｃをボルト軸芯に沿って嵌合操作する際には、前記各係止片７ａが撓み易い係止状態となり、容易に嵌合させることが出来ながら、一度、嵌合させると、逆方向には、前記係止片７ａが突っ張って抜け難くなるように構成してある。
因みに、本体部分３ｂへの係止リング部材３ｃの係止作用は、本体部分３ｂの外周雄ネジ部に係止片７ａの先端部が係合することによって有効となる。また、本体部分３ｂから係止リング部材３ｃを取り外すには、ボルトからナットを外すのと同じ操作（前記雄ネジ部にそってボルト軸芯周りに係止リング部材３ｃを回転操作）することによって実施される。
また、本体部分３ｂに対する係止リング部材３ｃの係止位置や、後述のナット１０の螺合位置は、自由に変更することが可能であるから、前記排水マットＳ１・植栽マットＳ２の厚み寸法に合わせて支持高さを好ましい値に調整したり、前記防風カバー８の取付高さを調整することが容易に実施することができるようになる。
【００２６】
また、植栽部Ｓと通路部Ｔとの境目に位置させた各固定具３（図３参照）には、図１・２・４に示すように、前記植栽マットＳ２の端縁部への風当たりを抑制自在な防風カバー８を取り付けてある。
前記防風カバー８は、図に示すように、断面チャンネル形状の長尺体部材で構成してあり、下面部８Ａは、前記排水マットＳ１の縁部に沿って前記排水マットＳ１を支持自在な長尺のマット支持部の役割を果たし、この下面部８Ａには、長手方向に間隔をあけて屋根部Ｂ２への固定部９を設けてある。この固定部９は、具体的には、前記固定具３の本体部分３ｂが貫通自在な挿通孔によって構成してあり、この挿通孔は、防風カバー８の長手方向に細長い長穴として形成してある。長穴に形成してあるから、固定具３の本体部分３ｂに嵌合させて固定する際、融通が利き易く、設置効率よく作業を進めることができる。そして、固定具３への取り付けは、前記固定部９に固定具３の本体部分３ｂが貫通する状態に配置して、本体部分３ｂにナット１０を螺合させて前記下面部８Ａを挟持することで、屋根部Ｂ２に固定することができる。尚、当該実施形態での取付構造では、固定具３の本体部分３ｂには、予め、前記排水マットＳ１の端縁部を貫通させてあり、前記下面部８Ａと、固定具３のベース部分３ａとで排水マットＳ１を挟持する状態に固定してある。即ち、排水マットＳ１は、前記防風カバー８の固定部９で共に屋根部Ｂ２に固定してある。
また、防風カバー８の側面部８Ｂは、防風カバー８の通路部Ｔ側（防風カバーの前面側）から植栽部Ｓへ向かう風が、通路部Ｔ側の植栽マットＳ２端縁部に直接あたるのを防止できるように構成してある。
また、防風カバー８の上面部８Ｃは、植栽部Ｓより高い位置となるように配置してあり、概ね、水平となるように構成してある。従って、この上面部８Ｃによって、防風カバー８前面側からの風の流線は、前記上面部８Ｃに沿うようにガイドされ、その結果、前記植栽マットＳ２に向かない方向で通過しやすくなる。この上面部８Ｃをガイド部と言う。
一方、屋根部Ｂ２に対する防風カバー８の固定高さは、上述のように、上面部８Ｃが、植栽部Ｓのマット上面より高い位置となると共に、下面部８Ａと屋根部Ｂ２との間には、図に示すように隙間１１ができるように設定してある。従って、前記排水層Ｈと通路部（防風カバー８前面）Ｔ側空間とは前記隙間１１を通して連通しており、排水マットＳ１から水が排水されるときには、前記隙間１１を通して通路部側へ速やかに排水できる一方、排水が無い状態の時には、通路部側から隙間１１を通して排水層Ｈに新鮮空気を流通させることが可能となる。
【００２７】
次に、当該建物の屋根上植栽の形成方法について、その一例を挙げて説明する。
［１］  屋根部Ｂ２上に防水シート４を接着固定する。
［２］  防水シート４上面の所定の箇所に固定具３を接着固定する。
［３］  排水マットＳ１・植栽マットＳ２を、前記防水シート４の上に敷設する。この作業の際には、前記防風カバー８を取り付ける固定具３を除いて、前記固定具３の本体部分３ｂが、排水マットＳ１・植栽マットＳ２を貫通する状態に配置する。そして、植栽マットＳ２は、排水マットＳ１より短めに寸法設定しておき、図に示すように、防風カバー８を取り付ける固定具３に対しては、排水マットＳ１のみが貫通する状態に敷設する。
［４］  各固定具３に、係止リング部材３ｃを係止させて排水マットＳ１・植栽マットＳ２を固定する。但し、植栽部Ｓと通路部Ｔとの境目の固定具３には、排水マットＳ１の上から前記防風カバー８を取り付けて、前記ナット１０を螺合させて固定する。この防風カバー８によって、植栽部Ｓから客土が通路部Ｔへ流出し難くすることができると共に、植栽部の縁石としての機能も果たし、美観性の向上に努めることが可能となる。また、前述の通り、前記排水マットＳ１の端縁部を支持すると共に、植栽部Ｓへの風当たりを抑制することも可能となる。
【００２８】
当該実施形態で説明した植栽屋根構造によれば、防風カバー８によって植栽部Ｓの縁部に位置する植栽マットＳ２への風当たりが抑制されるから、突風が吹いたとしても、植栽マットが吹き飛ばされ難くすることができ、植栽部Ｓにおける特に目に付きやすい端部に固定具を使用しなくても（又は、その数を減らしても）、安定した植栽マットの敷設状態を維持することが可能となり、植栽部のもつ本来の美観性を無駄なく発揮させることが可能となる。
また、前記ガイド部（上面部８Ｃ）によって、植栽マットＳ２への風当たりを少なくし、水分の保持作用の向上を図れることで、植物１の生育しやすい状況を維持することが可能となる。更には、植栽マットＳ２の下方においては、排水マットによって、余分な水分の排除を行い、水分過多による根腐り防止を図る一方、植栽マットに対する通気性の向上を図ることが可能となる。
そして、必要最小限度の固定部を設けるだけで安定した状態に植栽部を構成することが可能となり、植栽部形成作業の効率向上、及び、固定材料コストの低減を叶えることが可能となる。
【００２９】
〔別実施形態〕
以下に他の実施の形態を説明する。
【００３０】
〈１〉  建物の構造は、先の実施形態で説明した鉄筋コンクリート造に限るものではなく、例えば、鉄骨造や、鉄骨鉄筋コンクリート造、又は、木造、及び、それらの複合構造等、公知の建築構造を採用することが可能である。
〈２〉  前記屋根部Ｂ２は、先の実施形態で説明した陸屋根に限るものではなく、例えば、傾斜屋根で構成してあるものであってもよい。この場合、前記防風カバー８を、屋根面上で屋根傾斜方向に交わる方向に沿って取り付けることによって、植栽部Ｓの滑り荷重を受け止めて、より確実な植栽部の固定を果たすことが可能となる。
〈３〉  前記植栽部Ｓは、排水マットＳ１と植栽マットＳ２とを備えて構成してあるものに限らず、例えば、植栽マットＳ２のみによって構成してあるものであってもよく、それらを総称して植栽部という。
〈４〉  前記固定具３は、先の実施形態で説明したベース部３ａと突出部３ｂとを一体に形成したものに限るものではなく、例えば、図７に示すように、それぞれを別部材で着脱自在な構成とするものであってもよい。この場合、前記ベース部３ａと突出部３ｂとの着脱関係を工夫することによって、色々な植栽屋根形成法をとることが可能となる。
また、植栽部Ｓのメンテナンス作業等において、突出部３ｂのみを、新しいものに取り替えるといったことを、効率よく実施することが可能となる。
また、ベース部３ａと突出部３ｂとの材質を異なるもので構成して、それぞれの材質が備えた長所を、ベース部３ａ・突出部３ｂそれぞれに生かした高機能固定具とすることが可能となる。
即ち、材質も合成樹脂に限るものではなく、金属やセラミックス、木材等で構成してあってもよい。
〈５〉  前記防水シート４は、先の実施形態で説明した塩化ビニル製の防水シート４を使用して構成してあるものに限るものではなく、ゴムやＴＰＥ（サーモ・プラスチック・エラストマ）製のシート、又は、その他の素材からなる防水シートであってもよい。更には、成形シートに限るものではなく、防水材の塗布によって防水層を構成するものであってもよい。
また、防水シート４の屋根部Ｂ２への固定は、先の実施形態で説明した全面接着に限るものではなく、例えば、屋根部Ｂ２に取り付けた防水シート固定金具に対して接着することで固定する所謂「機械的固定工法」によって設置するものであってもよい。
また、上述の機械的固定工法によって防水シートが固定されている場合は、屋根部Ｂ２に取り付けられた防水シート固定金具の上に、防水シートを介して前記固定具３を取り付けることによって、他の位置に取り付けるのに比べて安定した状態に、且つ、強固に固定することが可能となり、植栽部の浮き上がり防止や、ズレ防止上好ましい。
〈６〉  植栽部Ｓに生育させる植栽物１は、先の実施形態で説明したようにセダム類の植物に限るものではなく、他の草木であってもよい。
〈７〉  前記防風カバー８は、先の実施例で説明した断面チャンネル形状のものに限るものではなく、例えば、図８・９・１０に示すように、断面平板形状のものや、断面アングル形状のものであってもよく、要するに、前記植栽マットＳ２の端縁部への風当たりを抑制自在なものであればよい。
また、前記ガイド部８Ｃは、図１１に示すように、植栽部の表面に対して傾斜する状態に形成してあってもよく、要するに、防風カバー８前面側からの風の流線を、前記植栽マットＳ２に向かない方向へ誘導するものであればよい。
【図面の簡単な説明】
【図１】建物を示す一部切欠き斜視図
【図２】屋根の詳細を示す要部断面図
【図３】防風カバーの固定具を示す斜視図
【図４】植栽部を示す要部断面図
【図５】固定具を示す分解斜視図
【図６】固定具の取付状況を示す断面図
【図７】別実施形態の固定具を示す断面図
【図８】別実施形態の防風カバーを示す斜視図
【図９】別実施形態の防風カバーを示す斜視図
【図１０】別実施形態の防風カバーを示す斜視図
【図１１】別実施形態の防風カバーを示す断面図
【図１２】従来の植栽部を示す要部断面図
【符号の説明】
１      植栽物
３      固定具
８      防風カバー
８Ａ    マット支持部
８Ｃ    ガイド部
９      固定部
１１    隙間
Ｂ２    屋根部
Ｈ      通水層
Ｓ      植栽部
Ｓ１    通水マット
Ｓ２    植栽マット
【図１】
0004778173.tif 000002
【図２】
0004778173.tif 000003
【図３】
0004778173.tif 000004
【図４】
0004778173.tif 000005
【図５】
0004778173.tif 000006
【図６】
0004778173.tif 000007
【図７】
0004778173.tif 000008
【図８】
0004778173.tif 000009
【図９】
0004778173.tif 000010
【図１０】
0004778173.tif 000011
【図１１】
0004778173.tif 000012
【図１２】
0004778173.tif 000013